(57)【要約】【課題】搬送する記録媒体の後端の誤検出の防止が容易で操作性も優れ高品質の画像を形成して後処理する記録媒体搬送装置、及びその記録媒体搬送装置を備える画像形成装置、並びに記録媒体後処理装置を提供する。【解決手段】進入する記録媒体Ｐを搬送方向に案内して送り出す案内手段１と、前記案内手段１上の記録媒体Ｐの搬送経路内で記録媒体Ｐの後端を検知する検知箇所に形成する検知穴２と、前記検知穴２を記録媒体Ｐの搬送方向に直行する主走査方向に複数個を配置する検知穴配置列に検知手段３を取り付ける取り付け手段４と、記録媒体Ｐの後端を検知する前記検知穴２を前記検知穴配置列から選択する検知穴選択手段５を備える。【選択図】図１
2008184291.tif 000002
【特許請求の範囲】
【請求項１】
記録媒体を搬送方向に案内して搬送する記録媒体搬送装置において、進入する記録媒体を搬送方向に案内して送り出す案内手段と、前記案内手段上の記録媒体の搬送経路内で記録媒体の後端を検知する検知箇所に形成する検知穴と、前記検知穴を記録媒体の搬送方向に直行する主走査方向に複数個を配置する検知穴配置列に検知手段を取り付ける取り付け手段と、記録媒体の後端を検知する前記検知穴を前記検知穴配置列から選択する検知穴選択手段と、を備えることを特徴とする記録媒体搬送装置。
【請求項２】
請求項１に記載の記録媒体搬送装置において、前記案内手段は、記録媒体を搬送方向に案内するガイド板と、前記ガイド板と対向して記録媒体を搬送方向に案内する対向ガイド板を備えることを特徴とする記録媒体搬送装置。
【請求項３】
請求項１又は２に記載の記録媒体搬送装置において、前記検知穴は、前記案内手段上の記録媒体の搬送経路内に前記検知穴を記録媒体の搬送方向に直行する主走査方向に複数個を連接する検知長穴を備えることを特徴とする記録媒体搬送装置。
【請求項４】
請求項１又は２に記載の記録媒体搬送装置において、前記検知穴は、前記案内手段上の記録媒体の搬送経路内に前記検知穴を記録媒体の搬送方向に直行する主走査方向に移動する可動検知穴を備えることを特徴とする記録媒体搬送装置。
【請求項５】
請求項４に記載の記録媒体搬送装置において、前記可動検知穴は、前記ガイド板と別体で記録媒体の搬送方向に直行する主走査方向に移動する可動検知穴部材を備えることを特徴とする記録媒体搬送装置。
【請求項６】
請求項１乃至５の何れか一項に記載の記録媒体搬送装置において、前記検知穴、前記検知長穴、又は前記可動検知穴は、前記案内手段上の記録媒体の搬送経路内に記録媒体の搬送方向の上流側の曲率が下流側の曲率よりも大きい穴形状を備えることを特徴とする記録媒体搬送装置。
【請求項７】
請求項１乃至６の何れか一項に記載の記録媒体搬送装置において、前記検知手段は、フォトセンサを備えることを特徴とする記録媒体搬送装置。
【請求項８】
請求項７に記載の記録媒体搬送装置において、前記案内手段は、前記フォトセンサに対向する複数の透過光路を備えることを特徴とする記録媒体搬送装置。
【請求項９】
請求項８に記載の記録媒体搬送装置において、前記透過光路は、前記案内手段上の記録媒体の搬送経路内に前記透過光路を記録媒体の搬送方向に直行する主走査方向に複数個を連接する透過光路長穴を備えることを特徴とする記録媒体搬送装置。
【請求項１０】
請求項８又は９に記載の記録媒体搬送装置において、前記透過光路は、前記案内手段上の記録媒体の搬送経路内に前記透過光路を記録媒体の搬送方向に直行する主走査方向に移動する可動透過光路を備えることを特徴とする記録媒体搬送装置。
【請求項１１】
請求項１０に記載の記録媒体搬送装置において、前記可動透過光路は、前記対向ガイド板と別体で記録媒体の搬送方向に直行する主走査方向に移動する可動透過光路部材を備えることを特徴とする記録媒体搬送装置。
【請求項１２】
請求項８乃至１１の何れか一項に記載の記録媒体搬送装置において、前記透過光路、前記透過光路長穴、又は前記可動透過光路は、前記案内手段上の記録媒体の搬送経路内に記録媒体の搬送方向の上流側の曲率が下流側の曲率よりも大きい穴形状を備えることを特徴とする記録媒体搬送装置。
【請求項１３】
請求項１乃至６の何れか一項に記載の記録媒体搬送装置において、前記検知手段は、フィラーを備えることを特徴とする記録媒体搬送装置。
【請求項１４】
請求項１３に記載の記録媒体搬送装置において、前記案内手段は、前記フィラーに対向する複数の潜り込み部を備えることを特徴とする記録媒体搬送装置。
【請求項１５】
請求項１４に記載の記録媒体搬送装置において、前記潜り込み部は、前記案内手段上の記録媒体の搬送経路内に前記潜り込み部を記録媒体の搬送方向に直行する主走査方向に複数個を連接する潜り込み部長穴を備えることを特徴とする記録媒体搬送装置。
【請求項１６】
請求項１４又は１５に記載の記録媒体搬送装置において、前記潜り込み部は、前記案内手段上の記録媒体の搬送経路内に前記潜り込み部を記録媒体の搬送方向に直行する主走査方向に移動する可動潜り込み部を備えることを特徴とする記録媒体搬送装置。
【請求項１７】
請求項１６に記載の記録媒体搬送装置において、前記可動潜り込み部は、前記対向ガイド板と別体で記録媒体の搬送方向に直行する主走査方向に移動する可動潜り込み部材を備えることを特徴とする記録媒体搬送装置。
【請求項１８】
請求項１４乃至１７の何れか一項に記載の記録媒体搬送装置において、前記潜り込み部、前記潜り込み部長穴又は可動潜り込み部は、前記案内手段上の記録媒体の搬送経路内に記録媒体の搬送方向の上流側の曲率が下流側の曲率よりも大きい穴形状を備えることを特徴とする記録媒体搬送装置。
【請求項１９】
請求項１３乃至１８の何れか一項に記載の記録媒体搬送装置において、前記フィラーは、フォトセンサを備えることを特徴とする記録媒体搬送装置。
【請求項２０】
請求項１乃至１９の何れか一項に記載の記録媒体搬送装置において、前記取り付け手段は、前記検知手段を備えることを特徴とする記録媒体搬送装置。
【請求項２１】
請求項１乃至２０の何れか一項に記載の記録媒体搬送装置において、前記検知穴選択手段は、前記取り付け手段上に記録媒体の搬送方向に直行する主走査方向に前記検知手段の取り付け位置を可動に取り付ける複数の可動取り付け手段を備えることを特徴とする記録媒体搬送装置。
【請求項２２】
請求項２１に記載の記録媒体搬送装置において、前記可動取り付け手段は、前記取り付け手段上に形成する取り付け部と、前記取り付け部に係合する前記検知手段と一体の取り付け係合部を備えることを特徴とする記録媒体搬送装置。
【請求項２３】
請求項２０、２１又は２２に記載の記録媒体搬送装置において、前記検知手段は、前記フォトセンサを備えることを特徴とする記録媒体搬送装置。
【請求項２４】
請求項２３に記載の記録媒体搬送装置において、前記フォトセンサは、複数個を備えることを特徴とする記録媒体搬送装置。
【請求項２５】
請求項２０、２１又は２２に記載の記録媒体搬送装置において、前記検知手段は、前記フィラーを備えることを特徴とする記録媒体搬送装置。
【請求項２６】
請求項２５に記載の記録媒体搬送装置において、前記フィラーは、複数個を備えることを特徴とする記録媒体搬送装置。
【請求項２７】
請求項２５又は２６に記載の記録媒体搬送装置において、前記フィラーは、前記フィラーの移動を検知するフォトセンサを備えることを特徴とする記録媒体搬送装置。
【請求項２８】
請求項１乃至２０の何れか一項に記載の記録媒体搬送装置において、前記検知穴選択手段は、複数個の前記フィラーを連結する連結フィラーを備えることを特徴とする記録媒体搬送装置。
【請求項２９】
請求項２８に記載の記録媒体搬送装置において、前記連結フィラーは、前記連結フィラーの移動を検知するフォトセンサを備えることを特徴とする記録媒体搬送装置。
【請求項３０】
請求項２０乃至２７の何れか一項に記載の記録媒体搬送装置において、前記検知手段は、搬送される記録媒体上のパンチ穴有りの判定によりパンチ穴穿孔処理をキャンセルする制御部を備えることを特徴とする記録媒体搬送装置。
【請求項３１】
請求項１乃至３０の何れか一項に記載の記録媒体搬送装置において、前記案内手段は、進入する記録媒体を搬送方向に案内して送り出す下流側に搬送される記録媒体の先端を揃えてレジスト補正を行うレジストローラ対を備えることを特徴とする記録媒体搬送装置。
【請求項３２】
請求項１乃至３１の何れか一項に記載の記録媒体搬送装置において、前記案内手段は、進入する記録媒体を搬送方向に案内して送り出す下流側に搬送される記録媒体に穿孔処理を行うパンチユニットを備えることを特徴とする記録媒体搬送装置。
【請求項３３】
記録媒体に記録画像を形成する画像形成装置において、搬送される記録媒体に記録画像を形成する画像形成ユニットと、前記画像形成ユニットで記録画像を形成する記録媒体を搬送する請求項１乃至３２の何れか一項に記載の前記記録媒体搬送装置を備えることを特徴とする画像形成装置。
【請求項３４】
請求項３３に記載の画像形成装置において、前記画像形成ユニットは、電子写真方式の作像プロセスでトナーの記録画像を形成することを特徴とする画像形成装置。
【請求項３５】
記録画像を形成した後の記録媒体の後処理を行う記録媒体後処理装置において、記録画像を形成した後に搬入される記録媒体を搬送方向に案内して搬送する請求項１乃至３２の何れか一項に記載の前記記録媒体搬送装置と、前記記録媒体搬送装置によって搬送される記録画像を形成した後の記録媒体の後処理を行う後処理ユニットを備えることを特徴とする記録媒体後処理装置。
【発明の詳細な説明】
【技術分野】
【０００１】
本発明は、記録媒体搬送装置、及びその記録媒体搬送装置を備える画像形成装置、並びに記録媒体後処理装置に関する。詳しくは、記録媒体を搬送方向に案内して搬送する記録媒体搬送装置に関する。及びその記録媒体搬送装置を備えて記録媒体に記録画像を形成すインクジェット方式などの印刷機や電子写真方法で画像を形成する複写機、ファクシミリ装置、プリンタあるいはこれ等の複合機等の画像形成装置に関する。更にその記録媒体搬送装置を備えて記録画像を形成した後の記録媒体の後処理を行う記録媒体後処理装置に関する。
【背景技術】
【０００２】
従来の記録媒体搬送装置、及びその記録媒体搬送装置を備える画像形成装置、並びに記録媒体後処理装置において、搬送される記録媒体の記録用紙の前後の端部または側端部を検知して搬送方向に搬送する装置は広く知られている。
例えば、画像形成装置の通紙制御では、バインダー用紙のパンチ穴の並び方向を搬送方向に対して直行方向で、かつ用紙の先端側にして給紙する場合がある。このような場合には、レジストセンサがパンチ穴を検知した時に、パンチ穴を用紙後端と誤検知し、極端に短い用紙と認識してしまうことにより紙詰まり等の通紙不能状態になってしまい、通紙できないことがある。
そこで、バインダー用紙を選択した時には、バインダー用紙があることを検知してから所定時間にわたってレジストセンサの用紙検出をマスクすることにより、ジャムせずに通紙可能にすることが提案されている（特許文献１を参照）。
これは、パンチ穴のあるバインダー用紙等を通紙する際には、ユーザが設定変更することによりパンチ穴による誤検知を防止する。然し、その都度、設定変更をする必要があり、その操作が煩雑で、操作性の低下が否めない。
【０００３】
カラー画像形成装置では、記録媒体上に記録されたのち定着部で定着された補正用パターンを読み取るレジストセンサを定着部の下流に配置して、読み取ったデータを基に画像の色ずれ、色ごとの濃度、グロスの補正を行う。このレジストセンサは、記録媒体を搬送案内するガイド板の一対の端辺領域に対応する位置にそれぞれ設けられた切り欠きを通して、補正用パターンを高精度で読み取ることが提案されている（特許文献２を参照）。
シート処理装置及びそのシート処理装置を備えた画像形成装置では、搬送中のシートの斜行量を検出する２個の斜行量検出手段と、シートを搬送しながら斜行補正を行う斜行補正手段と、シートに穿孔するパンチ手段を備えている。更にパンチ手段を駆動するパンチ駆動手段と、パンチ手段をシート搬送方向に対して交差する方向に移動させるパンチ移動手段と、シート搬送方向のシート後端を検出する１個のシート検知手段も備えている。そして斜行量検出手段の検出結果に基づき斜行補正手段によってシートの斜行を補正した後、シート検知手段の出力結果に基づきシートに穿孔するように制御してパンチ位置の精度を向上させることも提案されている（特許文献３を参照）。
又、スキュー補正ローラ対が用紙を搬送し、用紙が入口センサの検知位置を抜けた時点で入口ローラが停止し、画像形成装置から送られてきた用紙のサイズ情報に基づいて使用する用紙端部検知センサのうちの１つのセンサを決定する。次いで用紙端部検知センサ群を用紙搬送方向の直行する方向に移動させ、用紙端部をセンサが検知すると、横レジスト移動パルスを取得する。この取得した横レジスト移動パルスから穿孔ユニットの移動パルスを算出し、用紙端部検知センサ群をホームポジションに移動させ、穿孔ユニットを前記演算したパルス分移動させる。その位置でパンチ刃を作動させて穿孔するようにして、端部検知手段の移動量及び穿孔手段の移動量を少なくし、高い生産性で穿孔処理を行うことも提案されている（特許文献４を参照）。
【０００４】
図１６は、従来の画像形成装置１１００の基本構成図である。
図１６において、従来の一般的な画像形成装置１１００における記録媒体搬送装置１０００の検出手段の配置と利用方法は、レジストセンサ１００１を用いて説明する。
給紙部１１０１から繰り出される記録媒体Ｐの記録用紙は、記録媒体搬送装置１０００にて案内されてレジストローラ対１００２にて一旦停止して、記録媒体Ｐの先端をそのニップ部で揃えるレジスト補正を行う。レジスト補正を行うタイミングは、レジストセンサ１００１を記録媒体Ｐの先端が通過したタイミングとレジストローラ対１００２との距離からレジスト補正量が決定される。続いてレジストローラ対１００２を再始動して２次転写部１１０６にて記録画像のトナー画像が記録媒体Ｐの記録用紙に転写される。
４色分の記録画像の情報は、光書き込みユニット１１０３により各像担持体１１０２の感光体ドラムに４色の潜像を形成して、各現像ユニット１１０４により顕像化されてカラートナーの記録画像が形成される。４色を積み重ねたカラートナーの記録画像は１次転写ユニット１１０５を介し、２次転写部１１０６にて記録媒体Ｐに転写される。
２次転写済みの記録媒体Ｐは、２次転写部１１０６より定着ユニット１１０７へ搬送され、記録媒体Ｐにカラートナーの記録画像が定着され、排紙部１１０８よりスタック部１１０９へ排出されて収納される。
このような画像形成装置１１００の構成において連続印刷時では毎頁レジスト補正を行うわけであるが、生産性が高い装置ほど搬送する記録媒体Ｐと記録媒体Ｐ間を小さく、短くする必要がある。
従って、記録媒体Ｐの前頁の後端がレジストローラ対１００２を抜けた直後にレジストローラ対１００２の回転は停止する必要がある。
そして、記録媒体Ｐの次頁の作像準備が整い次第、規定の頁間が出来次第上述の通りレジストローラ対１００２の回転を再始動して２次転写部１１０６へ記録媒体Ｐを送り出す。
【０００５】
図１７は、従来の記録媒体搬送装置１０００の拡大図である。図１８は、従来の記録媒体搬送装置１０００の斜視図である。
図１７と図１８において、従来の記録媒体搬送装置１０００におけるレジストローラ対１００２は、主搬送を担うレジストローラ１０２０とその対を成す金属製等の対向ローラ１０２１を備えている。
レジストローラ対１００２のレジストローラ１０２０と対向ローラ１０２１は、レジスト補正をするために共に主走査幅通しの物が一般的に使用される。
又、レジスト補正をするに当たり、極力、記録媒体Ｐの記録用紙の両端部を同タイミングでレジストローラ対１００２のニップ部に案内する案内手段１００３を備えている。そのために、案内手段１００３は、給紙部１１０１から搬送されてきた記録媒体Ｐの先端をレジストローラ対１００２のニップ部に案内する一対のガイド板１０３０と対向ガイド板１０３１が配置されている。レジストセンサ１００１は、レジスト補正量のばらつきを小さくするためにレジストローラ対１００２のニップ部の近傍に配置する。
そして、レジストセンサ１００１は、レジストステー１００４に取り付けてある。
レジストセンサ１００１は、反射型フォトインタラプタを用いているので、ガイド板１０３０と対向ガイド板１０３１には、各々センサ光路を遮蔽しないようにセンサ光路穴１００５備えている（図１８を参照）。
ブックファイルに収納できるように、予めパンチ穴の開いている記録媒体Ｐを搬送する際に、パンチ穴の開いている箇所にレジストセンサ１００１が配置されている。このような構成でパンチ穴部が通過したときには、本来の記録媒体Ｐの後端でないタイミングで誤検出してしまい、図示しない搬送モータの停止タイミンブが早まり、ジャム等の不具合が発生する。
【０００６】
図１９は、図１７における従来の記録媒体搬送装置１０００の（Ｚ−Ｚ）線の断面図である。
図１９において、記録媒体搬送装置１０００のような構成においては、パンチ穴等の開いた記録媒体Ｐの記録用紙を図示の矢印Ａ方向の記録媒体Ｐの搬送方向に通紙する。その記録媒体Ｐを通紙する際に、図示の矢印Ｂ方向の主走査方向でのレジストセンサ１００１と同位置にパンチ穴等があると上記レジストセンサ１００１での全の記録媒体Ｐの長さ検知に誤検知が起きてしまう。
具体的な問題としては、高生産性の仕様等で記録媒体Ｐと記録媒体Ｐの頁間が短い場合、前頁の記録媒体Ｐの後端がレジストローラ対１００２を抜けた直後にレジストローラ対１００２の回転は停止する必要がある。
そこでパンチ穴にて実際の記録媒体Ｐの後端より早く後端の誤検出をしてしまうと、記録媒体Ｐがレジストローラ対１００２のニップ部に残った状態でレジストローラ対１００２の回転が停止してしまう。その結果は、形成する記録画像にショックジター、更にはジャムなどが発生して画像品質が低下すると言う不具合が発生する。
このような場合には、レジストセンサがパンチ穴を検知した時に、パンチ穴を記録媒体Ｐの後端と誤検知し、極端に短い記録媒体Ｐと認識して、紙詰まり等の搬送不能状態になってしまう。
そこで、バインダー用紙を選択した時には、バインダー用紙があることを検知してから所定時間にわたってレジストセンサの用紙検出をマスクすることにより、ジャムせずに通紙可能にすることが提案されている（特許文献１を参照）。
これは、パンチ穴のあるバインダー用紙等を通紙する際には、設定変更することによりパンチ穴による誤検知を防止する。然し、その都度、設定変更をする必要があり、その操作が煩雑で、操作性の低下が否めない。
【特許文献１】特許第３６７４６５７号
【特許文献２】特開２００４−１７７６５９公報
【特許文献３】特開２００５−３０６６０８公報
【特許文献４】特開２００６−１６１２９公報
【発明の開示】
【発明が解決しようとする課題】
【０００７】
従来の記録媒体搬送装置、及びその記録媒体搬送装置を備える画像形成装置、並びに記録媒体後処理装置においては、搬送する記録媒体の後端検知をパンチ穴等により実際の記録媒体の後端よりも早く誤検出することがある。この誤検出を防止する操作が煩雑で操作性も悪く、形成する記録画像にショックジター、更にはジャムなどが発生して画像品質が低下すると言う問題が発生していた。
そこで本発明の課題は、このような問題点を解決するものである。即ち、搬送する記録媒体の後端の誤検出の防止が容易で操作性も優れ高品質の画像を形成して後処理する記録媒体搬送装置、及びその記録媒体搬送装置を備える画像形成装置を提供することを目的とする。並びにその記録媒体搬送装置を備える記録媒体後処理装置を提供することも目的とする。
【課題を解決するための手段】
【０００８】
上記目的を達成するために、請求項１に記載の本発明は、記録媒体を搬送方向に案内して搬送する記録媒体搬送装置において、進入する記録媒体を搬送方向に案内して送り出す案内手段と、前記案内手段上の記録媒体の搬送経路内で記録媒体の後端を検知する検知箇所に形成する検知穴と、前記検知穴を記録媒体の搬送方向に直行する主走査方向に複数個を配置する検知穴配置列に検知手段を取り付ける取り付け手段と、記録媒体の後端を検知する前記検知穴を前記検知穴配置列から選択する検知穴選択手段を備える記録媒体搬送装置であることを特徴とする。
請求項２に記載の本発明は、請求項１に記載の記録媒体搬送装置において、前記案内手段は、記録媒体を搬送方向に案内するガイド板と、前記ガイド板と対向して記録媒体を搬送方向に案内する対向ガイド板を備える記録媒体搬送装置であることを特徴とする。
請求項３に記載の本発明は、請求項１又は２に記載の記録媒体搬送装置において、前記検知穴は、前記案内手段上の記録媒体の搬送経路内に前記検知穴を記録媒体の搬送方向に直行する主走査方向に複数個を連接する検知長穴を備える記録媒体搬送装置であることを特徴とする。
請求項４に記載の本発明は、請求項１又は２に記載の記録媒体搬送装置において、前記検知穴は、前記案内手段上の記録媒体の搬送経路内に前記検知穴を記録媒体の搬送方向に直行する主走査方向に移動する可動検知穴を備える記録媒体搬送装置であることを特徴とする。
【０００９】
請求項５に記載の本発明は、請求項４に記載の記録媒体搬送装置において、前記可動検知穴は、前記ガイド板と別体で記録媒体の搬送方向に直行する主走査方向に移動する可動検知穴部材を備える記録媒体搬送装置であることを特徴とする。
請求項６に記載の本発明は、請求項１乃至５の何れか一項に記載の記録媒体搬送装置において、前記検知穴、前記検知長穴、又は前記可動検知穴は、前記案内手段上の記録媒体の搬送経路内に記録媒体の搬送方向の上流側の曲率が下流側の曲率よりも大きい穴形状を備える記録媒体搬送装置であることを特徴とする。
請求項７に記載の本発明は、請求項１乃至６の何れか一項に記載の記録媒体搬送装置において、前記検知手段は、フォトセンサを備える記録媒体搬送装置であることを特徴とする。
請求項８に記載の本発明は、請求項７に記載の記録媒体搬送装置において、前記案内手段は、前記フォトセンサに対向する複数の透過光路を備える記録媒体搬送装置であることを特徴とする。
請求項９に記載の本発明は、請求項８に記載の記録媒体搬送装置において、前記透過光路は、前記案内手段上の記録媒体の搬送経路内に前記透過光路を記録媒体の搬送方向に直行する主走査方向に複数個を連接する透過光路長穴を備える記録媒体搬送装置であることを特徴とする。
【００１０】
請求項１０に記載の本発明は、請求項８又は９に記載の記録媒体搬送装置において、前記透過光路は、前記案内手段上の記録媒体の搬送経路内に前記透過光路を記録媒体の搬送方向に直行する主走査方向に移動する可動透過光路を備える記録媒体搬送装置であることを特徴とする。
請求項１１に記載の本発明は、請求項１０に記載の記録媒体搬送装置において、前記可動透過光路は、前記対向ガイド板と別体で記録媒体の搬送方向に直行する主走査方向に移動する可動透過光路部材を備える記録媒体搬送装置であることを特徴とする。
請求項１２に記載の本発明は、請求項８乃至１１の何れか一項に記載の記録媒体搬送装置において、前記透過光路、前記透過光路長穴、または前記可動透過光路は、前記案内手段上の記録媒体の搬送経路内に記録媒体の搬送方向の上流側の曲率が下流側の曲率よりも大きい穴形状を備える記録媒体搬送装置であることを特徴とする。
請求項１３に記載の本発明は、請求項１乃至６の何れか一項に記載の記録媒体搬送装置において、前記検知手段は、フィラーを備える記録媒体搬送装置であることを特徴とする。
請求項１４に記載の本発明は、請求項１３に記載の記録媒体搬送装置において、前記案内手段は、前記フィラーに対向する複数の潜り込み部を備える記録媒体搬送装置であることを特徴とする。
【００１１】
請求項１５に記載の本発明は、請求項１４に記載の記録媒体搬送装置において、前記潜り込み部は、前記案内手段上の記録媒体の搬送経路内に前記潜り込み部を記録媒体の搬送方向に直行する主走査方向に複数個を連接する潜り込み部長穴を備える記録媒体搬送装置であることを特徴とする。
請求項１６に記載の本発明は、請求項１４又は１５に記載の記録媒体搬送装置において、前記潜り込み部は、前記案内手段上の記録媒体の搬送経路内に前記潜り込み部を記録媒体の搬送方向に直行する主走査方向に移動する可動潜り込み部を備える記録媒体搬送装置であることを特徴とする。
請求項１７に記載の本発明は、請求項１６に記載の記録媒体搬送装置において、前記可動潜り込み部は、前記対向ガイド板と別体で記録媒体の搬送方向に直行する主走査方向に移動する可動潜り込み部材を備える記録媒体搬送装置であることを特徴とする。
請求項１８に記載の本発明は、請求項１４乃至１７の何れか一項に記載の記録媒体搬送装置において、前記潜り込み部、前記潜り込み部長穴または可動潜り込み部は、前記案内手段上の記録媒体の搬送経路内に記録媒体の搬送方向の上流側の曲率が下流側の曲率よりも大きい穴形状を備える記録媒体搬送装置であることを特徴とする。
【００１２】
請求項１９に記載の本発明は、請求項１３乃至１８の何れか一項に記載の記録媒体搬送装置において、前記フィラーは、フォトセンサを備える記録媒体搬送装置であることを特徴とする。
請求項２０に記載の本発明は、請求項１乃至１９の何れか一項に記載の記録媒体搬送装置において、前記取り付け手段は、前記検知手段を備える記録媒体搬送装置であることを特徴とする。
請求項２１に記載の本発明は、請求項１乃至２０の何れか一項に記載の記録媒体搬送装置において、前記検知穴選択手段は、前記取り付け手段上に記録媒体の搬送方向に直行する主走査方向に前記検知手段の取り付け位置を可動に取り付ける複数の可動取り付け手段を備える記録媒体搬送装置であることを特徴とする。
請求項２２に記載の本発明は、請求項２１に記載の記録媒体搬送装置において、前記可動取り付け手段は、前記取り付け手段上に形成する取り付け部と、前記取り付け部に係合する前記検知手段と一体の取り付け係合部を備える記録媒体搬送装置であることを特徴とする。
請求項２３に記載の本発明は、請求項２０、２１又は２２に記載の記録媒体搬送装置において、前記検知手段は、前記フォトセンサを備える記録媒体搬送装置であることを特徴とする。
【００１３】
請求項２４に記載の本発明は、請求項２３に記載の記録媒体搬送装置において、前記フォトセンサは、複数個を備える記録媒体搬送装置であることを特徴とする。
請求項２５に記載の本発明は、請求項２０、２１又は２２に記載の記録媒体搬送装置において、前記検知手段は、前記フィラーを備える記録媒体搬送装置であることを特徴とする。
請求項２６に記載の本発明は、請求項２５に記載の記録媒体搬送装置において、前記フィラーは、複数個を備える記録媒体搬送装置であることを特徴とする。
請求項２７に記載の本発明は、請求項２５又は２６に記載の記録媒体搬送装置において、前記フィラーは、前記フィラーの移動を検知するフォトセンサを備える記録媒体搬送装置であることを特徴とする。
請求項２８に記載の本発明は、請求項１乃至２０の何れか一項に記載の記録媒体搬送装置において、前記検知穴選択手段は、複数個の前記フィラーを連結する連結フィラーを備える記録媒体搬送装置であることを特徴とする。
請求項２９に記載の本発明は、請求項２８に記載の記録媒体搬送装置において、前記連結フィラーは、前記連結フィラーの移動を検知するフォトセンサを備える記録媒体搬送装置であることを特徴とする。
【００１４】
請求項３０に記載の本発明は、請求項２０乃至２７の何れか一項に記載の記録媒体搬送装置において、前記検知手段は、搬送される記録媒体上のパンチ穴有りの判定によりパンチ穴穿孔処理をキャンセルする制御部を備える記録媒体搬送装置であることを特徴とする。
請求項３１に記載の本発明は、請求項１乃至３０の何れか一項に記載の記録媒体搬送装置において、前記案内手段は、進入する記録媒体を搬送方向に案内して送り出す下流側に搬送される記録媒体の先端を揃えてレジスト補正を行うレジストローラ対を備える記録媒体搬送装置であることを特徴とする。
請求項３２に記載の本発明は、請求項１乃至３１の何れか一項に記載の記録媒体搬送装置において、前記案内手段は、進入する記録媒体を搬送方向に案内して送り出す下流側に搬送される記録媒体に穿孔処理を行うパンチユニットを備える記録媒体搬送装置であることを特徴とする。
【００１５】
請求項３３に記載の本発明は、記録媒体に記録画像を形成する画像形成装置において、搬送される記録媒体に記録画像を形成する画像形成ユニットと、前記画像形成ユニットで記録画像を形成する記録媒体を搬送する請求項１乃至３２の何れか一項に記載の前記記録媒体搬送装置を備える画像形成装置であることを特徴とする。
請求項３４に記載の本発明は、請求項３３に記載の画像形成装置において、前記画像形成ユニットは、電子写真方式の作像プロセスでトナーの記録画像を形成する画像形成装置であることを特徴とする。
請求項３５に記載の本発明は、記録画像を形成した後の記録媒体の後処理を行う記録媒体後処理装置において、記録画像を形成した後に搬入される記録媒体を搬送方向に案内して搬送する請求項１乃至３２の何れか一項に記載の前記記録媒体搬送装置と、前記記録媒体搬送装置によって搬送される記録画像を形成した後の記録媒体の後処理を行う後処理ユニットを備える記録媒体後処理装置であることを特徴とする。
【発明の効果】
【００１６】
本発明によれば、搬送する記録媒体の後端の誤検出の防止が容易で操作性も優れ高品質の画像を形成して後処理する記録媒体搬送装置、及びその記録媒体搬送装置を備える画像形成装置を提供することが出来る。更に、その記録媒体搬送装置を備える記録媒体後処理装置も提供することが出来る。
【発明を実施するための最良の形態】
【００１７】
以下に、本発明の実施形態を、図面を参照して詳細に説明する。
図１は、本発明の実施形態に係る記録媒体搬送装置１０がフォトセンサ３０を備える基本構成図である。図２は、図１における記録媒体搬送装置１０の（Ｎ−Ｎ）線の断面図である。図３は、本発明の実施形態に係る記録媒体搬送装置１０の検知穴２と検知長穴２０の拡大図である。図４は、本発明の実施形態に係る記録媒体搬送装置１０の可動検知穴２１と可動検知穴部材２２の拡大図である。図５は、本発明の実施形態に係る記録媒体搬送装置１０の透過光路６と透過光路長穴６０の拡大図である。図６は、本発明の実施形態に係る記録媒体搬送装置１０の可動透過光路６１と可動透過光路部材６２の拡大図である。
図１乃至図６において、記録媒体を搬送方向に案内して搬送する記録媒体搬送装置１０は、進入する記録媒体Ｐの記録用紙を図示の矢印Ａ方向の搬送方向に案内して送り出す案内手段１を備えている。更にその案内手段１上の記録媒体Ｐの搬送経路内で記録媒体Ｐの後端を検知する検知箇所に形成する検知穴２を備えている。更に、その検知穴２を記録媒体Ｐの図示の矢印Ａ方向の搬送方向に直行する図示の矢印Ｂ方向の主走査方向に複数個を配置する検知穴配置列に検知手段３のフォトセンサ３０を取り付ける取り付け手段４を備えている。更に、記録媒体Ｐの後端を検知する検知穴２を検知穴配置列から選択する検知穴選択手段５を備えている。
【００１８】
案内手段１は、記録媒体Ｐを図示の矢印Ａ方向の搬送方向に確実に案内するガイド板１１と、そのガイド板１１と対向して記録媒体Ｐを図示の矢印Ａ方向の搬送方向に確実に案内する対向ガイド板１２を備えている。
そして、案内手段１は、進入する記録媒体Ｐを図示の矢印Ａ方向の搬送方向に案内して送り出す下流側に搬送される記録媒体Ｐの先端を揃えてレジスト補正を行うレジストローラ対８を備えている。
更に、案内手段１は、進入する記録媒体Ｐを図示の矢印Ａ方向の搬送方向に案内して送り出す下流側に搬送される記録媒体Ｐに穿孔処理を行うパンチユニット９を備えている。
検知穴２は、図３に図示するように案内手段１のガイド板１１上の記録媒体Ｐの搬送経路内に検知穴２を記録媒体Ｐの図示の矢印Ａ方向の搬送方向に直行する主走査方向に複数個を連接する検知長穴２０を備えている。検知穴２は、複数個を連接する検知長穴２０にすると加工が容易となり低コスト化が可能になる。
また図４に図示するようにガイド板１１上の記録媒体Ｐの搬送経路内に検知穴２を記録媒体Ｐの図示の矢印Ａ方向の搬送方向に直行する図示の矢印Ｂ方向の主走査方向に移動する可動検知穴２１を備えている。その可動検知穴２１は、ガイド板１１と別体で記録媒体Ｐの図示の矢印Ａ方向の搬送方向に直行する図示の矢印Ｂ方向の主走査方向に移動する可動検知穴部材２２を備えている。
従って、記録媒体Ｐに形成されたパンチ穴の箇所が想定の範囲外の場合でも、任意の箇所に検知穴２の可動検知穴２１を変更して、検知手段３のフォトセンサ３０の取り付け箇所を変更することが出来る。
【００１９】
検知穴２、検知長穴２０と可動検知穴２１は、案内手段１上の記録媒体Ｐの搬送経路内に記録媒体Ｐの図示の矢印Ａ方向の搬送方向の上流側の曲率が下流側の曲率よりも大きい穴形状を備えている。記録媒体Ｐの搬送経路内の検知穴２、検知長穴２０と可動検知穴２１は、上流側の曲率が下流側の曲率よりも大きくすることにより、搬送する記録媒体Ｐの障害になることなく、ジャム等の不具合の発生も防止する。
案内手段１の対向ガイド板１２には、反射型のフォトセンサ３０に対向する複数の透過光路６を備えて、反射型のフォトセンサ３０部に記録媒体Ｐの無い時に反射光を発生させないようになっている。図５に図示するように透過光路６は、対向ガイド板１２上の記録媒体Ｐの搬送経路内に透過光路６を記録媒体Ｐの図示の矢印Ａ方向の搬送方向に直行する主走査方向に複数個を連接する透過光路長穴６０を備えている。透過光路６は、複数個を連接する透過光路長穴６０にすると加工が容易となり低コスト化が可能になる。
また図６に図示する対向ガイド板１２上の記録媒体Ｐの搬送経路内に透過光路６を記録媒体Ｐの図示の矢印Ａ方向の搬送方向に直行する図示の矢印Ｂ方向の主走査方向に移動する可動透過光路６１を備えている。その可動透過光路６１は、対向ガイド板１２と別体で記録媒体Ｐの図示の矢印Ａ方向の搬送方向に直行する図示の矢印Ｂ方向の主走査方向に移動する可動透過光路部材６２を備えている。
従って、記録媒体Ｐに形成されたパンチ穴の箇所が想定の範囲外の場合でも、任意の箇所に透過光路６の可動透過光路６１を変更して、検知手段３の取り付け箇所を変更することが出来る。
【００２０】
透過光路６、透過光路長穴６０と可動透過光路６１は、案内手段１上の記録媒体Ｐの搬送経路内に記録媒体Ｐの図示の矢印Ａ方向の搬送方向の上流側の曲率が下流側の曲率よりも大きい穴形状を備えている。記録媒体Ｐの搬送経路内の透過光路６、透過光路長穴６０と可動透過光路６１は、上流側の曲率が下流側の曲率よりも大きくすることにより、搬送する記録媒体Ｐの障害になることなく、ジャム等の不具合の発生も防止する。
取り付け手段４に取り付けるレジストセンサとしての検知手段３のフォトセンサ３０は、反射型のフォトインタラプタを備えている。
検知穴選択手段５は、取り付け手段４上に記録媒体Ｐの図示の矢印Ａ方向の搬送方向に直行する図示の矢印Ｂ方向の主走査方向に検知手段３の取り付け位置を可動に取り付ける複数の可動取り付け手段５０を備える。
可動取り付け手段５０は、取り付け手段４上の同一の図示の矢印Ｂ方向の主走査方向の軸上に形成する複数位置の取り付け部５１と、取り付け部５１に係合する検知手段３と一体の取り付け係合部５２を備えている。
従って、フォトセンサ３０の検知穴２の位置と記録媒体Ｐのパンチ穴の位置が図示の矢印Ｂ方向の主走査方向で同一の場合には、正規の記録媒体Ｐの後端が来る前にパンチ穴が通過した時点で後端が来たと誤検知する。このような場合、取り付け手段４上の同一の図示の矢印Ｂ方向の主走査方向の軸上に形成する複数位置の取り付け部５１に設けた別位置にフォトセンサ３０を再配置することによりフォトセンサ３０の誤検知を回避できる。取り付け手段４のステーに取り付け部５１は複数個を予め設けておき、上述したガイド板１１の検知穴２、対向ガイド板１２の透過光路６も同位置に複数個設けて選択すれば良い。
又、この構成において、フォトセンサ３０自体も予め複数個を取り付ける。これにより、パンチ穴が通過したときに一方のフォトセンサ３０が記録媒体Ｐ「無し」と検出しても、他方のフォトセンサ３０はパンチ穴が無いので記録媒体Ｐ「有り」となる。複数個の全てのフォトセンサ３０の検知が行われたときを正規の検知タイミングとすることによりパンチ穴の誤検知を回避することも出来る。
更に、取り付け手段４に複数個設けてある取り付け部５１の位置が全てのフォトセンサ３０の検知穴２と同一箇所にパンチ穴がある場合には、取り付け部５１の位置を自由に変更できるよう取り付け手段４と別体にする。
この際、上述したガイド板１１の検知穴２と対向ガイド板１２の透過光路６は、取り付け部５１の位置に追従して検知長穴２０、可動検知穴２１、透過光路長穴６０、可動透過光路６１で変更することが出来る。
【００２１】
図７は、本発明の実施形態に係る記録媒体搬送装置１０がフィラー３１を備える基本構成図である。図８は、図７における記録媒体搬送装置１０の（Ｘ−Ｘ）線の断面図である。図９は、本発明の実施形態に係る記録媒体搬送装置１０の潜り込み部７と潜り込み部長穴７０の拡大図である。図１０は、本発明の実施形態に係る記録媒体搬送装置１０の可動潜り込み部７１と可動潜り込み部材７２の拡大図である。
図７乃至図１０において、記録媒体を搬送方向に案内して搬送する記録媒体搬送装置１０は、進入する記録媒体Ｐを図示の矢印Ａ方向の搬送方向に案内して送り出す案内手段１を備えている。更に、その案内手段１上の記録媒体Ｐの搬送経路内で記録媒体Ｐの後端を検知する検知箇所に形成する検知穴２を備えている。更に、その検知穴２を記録媒体Ｐの図示の矢印Ａ方向の搬送方向に直行する図示の矢印Ｂ方向の主走査方向に複数個を配置する検知穴配置列に検知手段３のフィラー３１を取り付ける取り付け手段４を備えている。更に、記録媒体Ｐの後端を検知する検知穴２を検知穴配置列から選択する検知穴選択手段５を備えている。
案内手段１は、記録媒体Ｐを図示の矢印Ａ方向の搬送方向に確実に案内するガイド板１１と、そのガイド板１１と対向して記録媒体Ｐを図示の矢印Ａ方向の搬送方向に確実に案内する対向ガイド板１２を備えている。
そして、案内手段１は、進入する記録媒体Ｐを図示の矢印Ａ方向の搬送方向に案内して送り出す下流側に搬送される記録媒体Ｐの先端を揃えてレジスト補正を行うレジストローラ対８を備えている。
更に、案内手段１は、進入する記録媒体Ｐを図示の矢印Ａ方向の搬送方向に案内して送り出す下流側に搬送される記録媒体Ｐに穿孔処理を行うパンチユニット９を備えている。
【００２２】
検知穴２は、案内手段１のガイド板１１上の記録媒体Ｐの搬送経路内に検知穴２を記録媒体Ｐの図示の矢印Ａ方向の搬送方向に直行する図示の矢印Ｂ方向の主走査方向に複数個を連接する検知長穴２０を備えている。検知穴２は、複数個を連接する検知長穴２０にすると加工が容易となり低コスト化が可能になる。
またガイド板１１上の記録媒体Ｐの搬送経路内に検知穴２を記録媒体Ｐの図示の矢印Ａ方向の搬送方向に直行する図示の矢印Ｂ方向の主走査方向に移動する可動検知穴２１を備えている。その可動検知穴２１は、ガイド板１１と別体で記録媒体Ｐの図示の矢印Ａ方向の搬送方向に直行する図示の矢印Ｂ方向の主走査方向に移動する可動検知穴部材２２を備えている。
従って、記録媒体Ｐに形成されたパンチ穴の箇所が想定の範囲外の場合でも、任意の箇所に検知穴２の可動検知穴２１を変更して、検知手段３のフィラー３１の取り付け箇所を変更することが出来る。
検知穴２、検知長穴２０と可動検知穴２１は、案内手段１上の記録媒体Ｐの搬送経路内に記録媒体Ｐの図示の矢印Ａ方向の搬送方向の上流側の曲率が下流側の曲率よりも大きい穴形状を備えている。記録媒体Ｐの搬送経路内の検知穴２、検知長穴２０と可動検知穴２１は、上流側の曲率が下流側の曲率よりも大きくすることにより、搬送する記録媒体Ｐの障害になることなく、ジャム等の不具合の発生も防止する。
案内手段１の対向ガイド板１２には、フィラー３１に対向する複数の潜り込み部７のスリットを備えて、フィラー３１部に記録媒体Ｐの無い時に干渉を発生させないようになっている。図９に図示するように潜り込み部７は、対向ガイド板１２上の記録媒体Ｐの搬送経路内に潜り込み部７を記録媒体Ｐの図示の矢印Ａ方向の搬送方向に直行する主走査方向に複数個を連接する潜り込み部長穴７０を備えている。潜り込み部７は、複数個を連接する潜り込み部長穴７０にすると加工が容易となり低コスト化が可能になる。
【００２３】
また図１０に図示する対向ガイド板１２上の記録媒体Ｐの搬送経路内に潜り込み部７を記録媒体Ｐの図示の矢印Ａ方向の搬送方向に直行する図示の矢印Ｂ方向の主走査方向に移動する可動潜り込み部７１を備える。その可動潜り込み部７１は、対向ガイド板１２と別体で記録媒体Ｐの図示の矢印Ａ方向の搬送方向に直行する図示の矢印Ｂ方向の主走査方向に移動する可動潜り込み部材７２を備えている。
従って、記録媒体Ｐに形成されたパンチ穴の箇所が想定の範囲外の場合でも、任意の箇所に潜り込み部７の可動潜り込み部７１を変更して、検知手段３のフィラー３１の取り付け箇所を変更することが出来る。
潜り込み部７、潜り込み部長穴７０と可動潜り込み部７１は、案内手段１上の記録媒体Ｐの搬送経路内に記録媒体Ｐの図示の矢印Ａ方向の搬送方向の上流側の曲率が下流側の曲率よりも大きい穴形状を備えている。記録媒体Ｐの搬送経路内の潜り込み部７、潜り込み部長穴７０と可動潜り込み部７１は、上流側の曲率が下流側の曲率よりも大きいから、搬送する記録媒体Ｐの障害になることなく、ジャム等の不具合の発生も防止する。
取り付け手段４に取り付ける検知手段３のフィラー３１は、フィラー爪３３と透過型のフォトインタラプタであるフォトセンサ３４を備えている。
検知穴選択手段５は、取り付け手段４上に図示の矢印Ｂ方向の主走査方向にフィラー３１の取り付け位置を可動に取り付ける複数の可動取り付け手段５０を備える。
【００２４】
可動取り付け手段５０は、取り付け手段４上の図示の矢印Ｂ方向の主走査方向の軸上に形成する複数位置の取り付け部５１と、取り付け部５１に係合するフォトセンサ３４と一体の取り付け係合部５２を備えている。
従って、フィラー３１の検知穴２の位置と記録媒体Ｐのパンチ穴の位置が図示の矢印Ｂ方向の主走査方向で同一の場合には、正規の記録媒体Ｐの後端が来る前にパンチ穴が通過した時点で後端が来たと誤検知してしまう。このような場合、取り付け手段４上の同一の図示の矢印Ｂ方向の主走査方向の軸上に形成する複数位置の取り付け部５１に設けた別位置にフィラー３１を再配置することによりフィラー３１の誤検知を回避できる。取り付け手段４のステーに取り付け部５１は複数個を予め設けておき、上述したガイド板１１の検知穴２、対向ガイド板１２の潜り込み部７も同位置に複数個設けて選択すれば良い。
又、この構成において、フィラー３１自体も予め複数個を取り付ける。これにより、パンチ穴が通過したときに一方のフィラー３１が記録媒体Ｐ「無し」と検出しても、他方のフィラー３１はパンチ穴が無いので記録媒体Ｐ「有り」となる。複数個の全てのフィラー３１の検知が行われたときを正規の検知タイミングとすることによりパンチ穴の誤検知を回避できる。
更に、取り付け手段４に複数個設けてある取り付け部５１の位置が全てのフィラー３１と同一箇所にパンチ穴がある場合には、取り付け部５１の位置を自由に変更できるよう取り付け手段４と別体にする。
この際、上述したガイド板１１の検知穴２と対向ガイド板１２の潜り込み部７は、取り付け部５１の位置に追従して検知長穴２０、可動検知穴２１、潜り込み部長穴７０、可動潜り込み部７１で変更することが出来る。
【００２５】
図１１は、本発明の実施形態に係る記録媒体搬送装置１０の検知手段３の動作を説明するフローチャートである。
図１１において、記録媒体搬送装置１０の検知手段３の制御部３２は、次のように搬送される記録媒体Ｐ上のパンチ穴「有り」の判定によりパンチ穴穿孔処理をキャンセルする（図１と図７を参照）。
スタートで、まずパンチ穴穿孔処理の命令が有るか判断して（ステップ１）、無いならばエンドで終了する。パンチ穴穿孔処理の命令が有れば、取り付け手段４に取り付けた複数個の全ての検知手段３のフォトセンサ３０またはフィラー３１が規定時間内で記録媒体Ｐの後端検出「オン（ＯＮ）」したかを判断する（ステップ２）。全てのフォトセンサ３０またはフィラー３１が規定時間内で記録媒体Ｐの後端検出「オン（ＯＮ）」でなければ、パンチ穴「有り」の記録媒体Ｐと判定する（ステップ３）。フォトセンサ３０またはフィラー３１の検出タイミングに差異がり、チャタリングやバラツキの範囲外とするため３ｍｍ以上の副走査方向での差異が生じ場合にパンチ穴「有り」の記録媒体Ｐと判定する。そして、パンチユニット９のパンチ穴穿孔処理をキャンセルして（ステップ４）、エンドで終了する。
然し、（ステップ２）で全てのフォトセンサ３０またはフィラー３１が規定時間内で記録媒体Ｐの後端検出「オン（ＯＮ）」であれば、パンチ穴「無し」の記録媒体Ｐと判定する（ステップ５）。そして、パンチユニット９のパンチ穴穿孔処理を実行して（ステップ６）、エンドで終了する。
従って、後処理系のオプションなどに良くあるパンチユニット９を備える場合がある。パンチ穴付きの記録媒体Ｐを用いる際に、誤ってパンチ穴穿孔処理コマンドを実行させる操作をすることがある。このように誤操作をしていたとしても、上述のパンチ穴回避構成を検知手段３に持つことにより不要な重複したパンチ穴穿孔処理の動作を実施しないようにして、使用者の操作ミスを回避することが出来る。
【００２６】
図１２は、本発明の実施形態に係る記録媒体搬送装置１０が連結フィラー５３を備える基本構成図である。図１３は、図１２における記録媒体搬送装置１０の（Ｙ−Ｙ）線の断面図である。図１４は、本発明の実施形態に係る記録媒体搬送装置１０の連結フィラー５３の拡大斜視図である。
図１２乃至図１４において、記録媒体を搬送方向に案内して搬送する記録媒体搬送装置１０は、進入する記録媒体Ｐの記録用紙を図示の矢印Ａ方向の搬送方向に案内して送り出す案内手段１を備えている。更に、その案内手段１上の記録媒体Ｐの搬送経路内で記録媒体Ｐの後端を検知する検知箇所に形成する検知穴２を備えている。更に、その検知穴２を記録媒体Ｐの図示の矢印Ａ方向の搬送方向に直行する図示の矢印Ｂ方向の主走査方向に複数個を配置する検知穴配置列に検知手段３を取り付ける取り付け手段４を備えている。更に、記録媒体Ｐの後端を検知する検知穴２を検知穴配置列から選択する検知穴選択手段５の連結フィラー５３を備えている。
案内手段１は、記録媒体Ｐを図示の矢印Ａ方向の搬送方向に確実に案内するガイド板１１と、そのガイド板１１と対向して記録媒体Ｐを図示の矢印Ａ方向の搬送方向に確実に案内する対向ガイド板１２を備えている。
そして、案内手段１は、進入する記録媒体Ｐを図示の矢印Ａ方向の搬送方向に案内して送り出す下流側に搬送される記録媒体Ｐの先端を揃えてレジスト補正を行うレジストローラ対８を備えている。
更に、案内手段１は、進入する記録媒体Ｐを図示の矢印Ａ方向の搬送方向に案内して送り出す下流側に搬送される記録媒体Ｐに穿孔処理を行うパンチユニット９を備えている。
【００２７】
取り付け手段４に可動取り付け手段５０でフィラー３１を取り付ける場合は、記録媒体Ｐの後端を検知する検知穴２を検知穴配置列から選択する複数個のフィラー３１を連結する形状の連結フィラー５３を備える。
連結フィラー５３は、連結フィラー５３の移動を検知する１個の透過型フォトインタラプタのフォトセンサ５４を備えている。可動取り付け手段５０の取り付け部５１に係合する取り付け係合部５２は、検知手段３のフォトセンサ５４と一体に備えている。
こうすることにより、片方のフィラー３１のフィラー爪３３が検知穴２からパンチ穴に架かったとしても、もう一方のフィラー３１のフィラー爪３３が検知穴２から記録媒体Ｐを検知するため誤検知を防止することが出来る。
連結フィラー５３を備えることにより、複数個のフォトセンサ３４を備えることなく、複数個のフォトセンサ３４を備えてパンチ穴による誤検知を回避すると同様の効果を得ることが出来る。
従って、片方の検知穴２からの片方のフィラー３１のフィラー爪３３の位置と記録媒体Ｐに形成されたパンチ穴の位置が図示の矢印Ｂ方向の主走査方向で同一の場合がある。このような場合には、正規の記録媒体Ｐの後端が来る前にパンチ穴が通過した時点で後端が来たと誤検知してしまう。然し、連結フィラー５３により自動的に選択されるもう一方の検知穴２からのもう一方のフィラー３１のフィラー爪３３が記録媒体Ｐを検知するため誤検知を防止することが出来る。
【００２８】
又、片方の検知穴２からの片方のフィラー３１及びもう一方の検知穴２からのもう一方のフィラー３１の両フィラー爪３３と記録媒体Ｐに形成された２個のパンチ穴の位置が図示の矢印Ｂ方向の主走査方向で同一の場合もある。
このような場合にも、取り付け手段４上の同一の図示の矢印Ｂ方向の主走査方向の軸上に形成する複数位置の取り付け部５１に設けた別位置に連結フィラー５３を再配置することにより誤検知を回避できる。取り付け手段４のステーに取り付け部５１は複数個を予め設けておき、上述したガイド板１１の検知穴２、対向ガイド板１２の潜り込み部７も同位置に複数個設けて選択すれば良い。
又、この構成において、連結フィラー５３自体も予め複数個を取り付ける。これにより、パンチ穴が通過したときに一方の連結フィラー５３が記録媒体Ｐ「無し」と検出しても、他方の連結フィラー５３はパンチ穴が無いので記録媒体Ｐ「有り」となる。複数個の全ての連結フィラー５３の検知が行われたときを正規の検知タイミングとすることによりパンチ穴の誤検知を回避できる。
更に、取り付け手段４に複数個設けてある取り付け部５１の位置が全ての連結フィラー５３と同一箇所にパンチ穴がある場合には、取り付け部５１の位置を自由に変更できるよう取り付け手段４と別体にする。
この際、上述したガイド板１１の検知穴２と対向ガイド板１２の潜り込み部７は、連結フィラー５３の位置に追従して検知長穴２０、可動検知穴２１、潜り込み部長穴７０、可動潜り込み部７１で変更することが出来る。
従って、搬送する記録媒体Ｐの後端の誤検出の防止が容易で操作性も優れ高品質の画像を形成して後処理する記録媒体搬送装置１０を提供することが出来る。
【００２９】
図１５は、本発明の実施形態に係る記録媒体搬送装置１０を備える画像形成装置１００並びに記録媒体後処理装置２００の基本構成図である。
図１５において、記録媒体に記録画像を形成する画像形成装置１００は、搬送される記録媒体Ｐの記録用紙に記録画像を形成する画像形成ユニット１０１を備えている。更に、画像形成ユニット１０１で記録画像を形成する記録媒体Ｐを搬送方向に案内して搬送する請求項１乃至３２の何れか一項に記載の記録媒体搬送装置１０を備えている。
画像形成装置１００は、記録画像を形成した後の記録媒体Ｐの後処理を行う請求項１乃至３２の何れか一項に記載の記録媒体搬送装置１０を備える記録媒体後処理装置２００を側部に取り付けている。
画像形成ユニット１０１の上部には、原稿画像読み取りユニット１０２が載置されている。そして、画像形成ユニット１０１は、記録媒体Ｐを給送する記録媒体給送装置１０３の上部に保持されている。
画像形成ユニット１０１は、電子写真方式の作像プロセスで利便性や汎用性に優れ高速で高品質のトナーの記録画像を記録媒体Ｐの記録用紙等に転写して形成するようになっている。
【００３０】
原稿画像読み取りユニット１０２の原稿台１２０に載置された原稿Ｏを光源１２１が図示の矢印Ｄ方向に移動し、このとき、原稿Ｏの原稿画像面が光源１２１により照明され、原稿画像が読み取り光学系１２２で読み取られる。読み取り光学系１２２で読み取られる原稿画像は、画像形成ユニット１０１の書き込みユニット１１２によってドラム形状の感光体ドラム１１０上に書き込まれる。
感光体ドラム１１０は、図示の矢印Ｅ方向の時計方向に回転し、この時、帯電装置１１１によって表面を一様に帯電され、その帯電面に書き込みユニット１１２により原稿画像が書き込まれる。これによって感光体ドラム１１０上に静電潜像が形成され、この潜像は現像ユニット１１３によってトナー像として可視像化される。
一方、記録媒体給送装置１０３から記録媒体Ｐが記録媒体搬送装置１０で感光体ドラム１１０に向けて搬送され、転写装置１１４によって感光体ドラム１１０上のトナーの記録画像が記録媒体Ｐに転写される。
この記録媒体Ｐは、定着ユニット１１５を通り、転写されたトナーの記録画像が記録媒体Ｐ上に定着される。そして、記録媒体Ｐは画像形成装置１００の外に排出される。または、図示のように記録媒体後処理装置２００の記録媒体搬送装置１０に搬入され所定の後処理と搬送が行われて排出されて収納される。
【００３１】
感光体ドラム１１０上に残留するトナーは、クリーニングユニット１１６によって除去されて次工程に備えられる。
従って、搬送する記録媒体Ｐの後端の誤検出の防止が容易で操作性も優れ高品質の記録画像を形成する記録媒体搬送装置１０を備える画像形成装置１００を提供することが出来る。
記録媒体後処理装置２００は、記録画像を形成した後に搬入される記録媒体Ｐを搬送方向に案内して搬送する請求項１乃至３２の何れか一項に記載の記録媒体搬送装置１０を備えている。そして、記録媒体搬送装置１０によって搬送される記録画像を形成した後の記録媒体Ｐの後処理を行う後処理ユニット２０１を備えている。
記録媒体後処理装置２００は、画像形成装置１００の側部に取り付けられて、画像形成装置１００より排出される記録媒体Ｐを、入口搬送路２２０に配置される記録媒体搬送装置１０内に導かれる。パンチユニット９を備える記録媒体搬送装置１０内に導かれて搬送される記録媒体Ｐは、分岐爪２４０と分岐爪２４１によって振り分けられるように構成される。
入口搬送路２２０を通り上トレイ２３０へ導く上搬送路２２１に振り分けられる。シフトトレイ２３１へ導くシフトトレイ搬送路２２２にも振り分けられる。更に、製本処理部２１０の整合及びスティプル綴じ等の後処理を行う整合綴じトレイ２３２へ導く整合綴じ搬送路２２３へも振り分けられる。
【００３２】
製本処理部２１０の整合綴じトレイ２３２に、端面綴じスティプラ２１１または中綴じスティプラ２１２が配置されている。整合およびスティプル綴じ等を施される記録媒体束Ｐは、偏向手段である分岐ガイド板２４２と可動ガイド２４３により、シフトトレイ２３１へ導くシフトトレイ搬送路２２２へ振り分けられる。更に、折り等を施す製本処理部２１０の折りトレイ２３３にも振り分けられる構成になっている。そして、折りトレイ２３３で折りプレート２１３や増し折りローラ対２１４などで折りの後処理が施される。
中綴じ処理及び２つ折り処理された記録媒体束Ｐは、パンチユニット９を備えていない記録媒体搬送装置１０によって断裁手段２１５の断裁位置に搬送される。そして、増し折りローラ対２１４で先端折り部の増し折り処理と断裁手段２１５で後端部の断裁処理をされて下トレイ２３４へ導かれて排出される。
また、整合綴じ搬送路２２３内に分岐爪２４４が配置されており図示してない低荷重バネにより図示の状態に保持されており、記録媒体Ｐの後端がこれを通過した後、搬送ローラ対２４５、２４６を逆転する。少なくとも搬送ローラ対２４５を逆転する事で記録媒体Ｐの後端を記録媒体収容部２３５へ導き滞留させる。そして、次に搬送される記録媒体Ｐと重ね合せて搬送する事が可能なように構成されている。この動作を繰返すことで２枚以上の記録媒体Ｐを重ね合せて搬送する事も可能である。
従って、搬送する記録媒体Ｐの後端の誤検出の防止が容易で操作性も優れ高品質の画像を形成して後処理する記録媒体搬送装置１０を備える記録媒体後処理装置２００も提供することが出来る。
【図面の簡単な説明】
【００３３】
【図１】本発明の実施形態に係る記録媒体搬送装置がフォトセンサを備える基本構成図。
【図２】図１における記録媒体搬送装置の（Ｎ−Ｎ）線の断面図。
【図３】本発明の実施形態に係る記録媒体搬送装置の検知穴と検知長穴の拡大図。
【図４】本発明の実施形態に係る記録媒体搬送装置の可動検知穴と可動検知穴部材の拡大図。
【図５】本発明の実施形態に係る記録媒体搬送装置の透過光路と透過光路長穴の拡大図。
【図６】本発明の実施形態に係る記録媒体搬送装置の可動透過光路と可動透過光路部材の拡大図。
【図７】本発明の実施形態に係る記録媒体搬送装置がフィラーを備える基本構成図。
【図８】図７における記録媒体搬送装置の（Ｘ−Ｘ）線の断面図。
【図９】本発明の実施形態に係る記録媒体搬送装置の潜り込み部と潜り込み部長穴の拡大図。
【図１０】本発明の実施形態に係る記録媒体搬送装置の可動潜り込み部と可動潜り込み部材の拡大図。
【図１１】本発明の実施形態に係る記録媒体搬送装置の検知手段の動作を説明するフローチャート。
【図１２】本発明の実施形態に係る記録媒体搬送装置が連結フィラーを備える基本構成図。
【図１３】図１２における記録媒体搬送装置の（Ｙ−Ｙ）線の断面図。
【図１４】本発明の実施形態に係る記録媒体搬送装置の連結フィラーの拡大斜視図。
【図１５】本発明の実施形態に係る記録媒体搬送装置を備える画像形成装置並びに記録媒体後処理装置の基本構成図。
【図１６】従来の画像形成装置の基本構成図。
【図１７】従来の記録媒体搬送装置の拡大図。
【図１８】従来の記録媒体搬送装置の斜視図。
【図１９】図１７における従来の記録媒体搬送装置の（Ｚ−Ｚ）線の断面図。
【符号の説明】
【００３４】
１  案内手段、２  検知穴、３  検知手段、４  取り付け手段、５  検知穴選択手段、６  透過光路、７  潜り込み部、８  レジストローラ対、９  パンチユニット、１０  記録媒体搬送装置、１１  ガイド板、１２  対向ガイド板、２０  検知長穴、２１  可動検知穴、２２  可動検知穴部材、３０  フォトセンサ、３１  フィラー、３２  制御手段、３３  フィラー爪、３４  フォトセンサ、５０  可動取り付け手段、５１  取り付け部、５２  取り付け係合部、５３  連結フィラー、５４  フォトセンサ、６０  透過光路長穴、６１  可動透過光路、６２  可動透過光路部材、７０  潜り込み部長穴、７１  可動潜り込み部、７２  可動潜り込み部材、１００  画像形成装置、１０１  画像形成ユニット、１０２  原稿画像読み取りユニット、１０３  記録媒体給送装置、１１０  感光体ドラム、１１１  帯電装置、１１２  書き込みユニット、１１３  現像ユニット、１１４  転写装置、１１５  定着ユニット、１１６  クリーニングユニット、１２０  原稿台、１２１  光源、１２２  読み取り光学系、２００  記録媒体後処理装置、２０１  後処理ユニット、２０２  搬送路、２１０  製本処理部、２１１  端面綴じスティプラ、２１２  中綴じスティプラ、２１３  折りプレート、２１４  増し折りローラ対、２１５  断裁手段、２２０  入口搬送路、２２１  上搬送路、２２２  シフトトレイ搬送路、２２３  整合綴じ搬送路、２３０  上トレイ、２３１  シフトトレイ、２３２  整合綴じトレイ、２３３  折りトレイ、２３４  下トレイ、２３５  記録媒体収容部、２４０、２４１  分離爪、２４２  分岐ガイド板、２４３  可動ガイド、２４４  分岐爪、２４５、２４６  搬送ローラ対、１０００  記録媒体搬送装置、１００１  レジストセンサ、１００２  レジストローラ対、１００３  案内手段、１００４  レジストステー、１００５  センサ光路穴、１０２０  レジストローラ、１０２１  対向ローラ、１０３０  ガイド板、１０３１  対向ガイド板、１１００  画像形成装置、１１０１  給紙部、１１０２  像担持体、１１０３  光書き込みユニット、１１０４  現像ユニット、１１０５  １次転写ユニット、１１０６  ２次転写部、１１０７  定着ユニット、１１０８  排紙部、１１０９  スタック部
【図１】
2008184291.tif 000003
【図２】
2008184291.tif 000004
【図３】
2008184291.tif 000005
【図４】
2008184291.tif 000006
【図５】
2008184291.tif 000007
【図６】
2008184291.tif 000008
【図７】
2008184291.tif 000009
【図８】
2008184291.tif 000010
【図９】
2008184291.tif 000011
【図１０】
2008184291.tif 000012
【図１１】
2008184291.tif 000013
【図１２】
2008184291.tif 000014
【図１３】
2008184291.tif 000015
【図１４】
2008184291.tif 000016
【図１５】
2008184291.tif 000017
【図１６】
2008184291.tif 000018
【図１７】
2008184291.tif 000019
【図１８】
2008184291.tif 000020
【図１９】
2008184291.tif 000021